(57)【特許請求の範囲】
【請求項１】
遊技球を貯留する上皿と、該上皿の下方に設けられる下皿と、該下皿に設けられる球抜口と、前記上皿内に貯留された遊技球を前記下皿側へ排出する排出口とを少なくとも有するパチンコ遊技機であって、
前記下皿は、前記排出口から排出された遊技球を受け入れることができる受入位置と、該受入位置の上方にあって前記排出口から排出された遊技球を受け入れることができない非受入位置との間を変位可能に構成し、これによって下皿が受入位置若しくは非受入位置にあるときに該下皿の球抜口が臨む第１落下位置と、下皿が非受入位置にあるときに前記排出口が臨む第２落下位置とを構成するようにしたことを特徴とするパチンコ遊技機。
【請求項２】
非受入位置は、排出口の一部が下皿に遮蔽されることで排出口の開口面積が小さく制限される第１非受入位置と、排出口が下皿の下方に完全に開放されることで排出口の開口面積が制限されない第２非受入位置とを有することを特徴とする請求項１に記載のパチンコ遊技機。
【請求項３】
遊技球を貯留する上皿と、該上皿の下方に設けられる下皿と、該下皿に設けられる球抜口と、前記上皿内に貯留された遊技球を前記下皿側へ排出する排出口とを少なくとも有するパチンコ遊技機であって、
前記下皿は、前記排出口の前方を開放または遮蔽する排出口開閉手段を備え、排出口を開放して遊技球を排出口から排出可能な開放位置と、該開放位置に対して上下方向にあって排出口の前方を遮蔽して遊技球を排出口から排出不能な閉塞位置とに変位可能に構成したことを特徴とするパチンコ遊技機。
【発明の詳細な説明】
【技術分野】
【０００１】
本発明はパチンコ遊技機に関する。
【背景技術】
【０００２】
従来、パチンコ遊技機においては、入賞等によって遊技機側から出てきた遊技球は先ず上皿に貯留されるようになっている。そして上皿に貯留されている遊技球の量が増えてくると、遊技者は必要に応じて上皿の遊技球を下皿に移すことを行っていた。下皿は上皿の下方に配置され、上皿の排出操作ツマミ等を操作することで、上皿内の遊技球が遊技機内を通って排出口から下皿に流下してくる構成になされている。
遊技球を貯留するものとして、更に球箱が使用されている。この球箱は持ち運び自在の箱であって、通常、下皿の下方の台（棚板）上に置かれ、下皿内に貯留されている遊技球が一杯になってきた場合、遊技者が遊技を終了する場合、或いはパチンコ台を移る場合等、必要に応じて下皿から遊技球を球箱に移すことが行われる。下皿から球箱への遊技球の移送は、下皿の底部に設けられた球抜口を開閉自在に開くことにより、遊技球を球箱に落下させて行っていた。
下皿から球箱に遊技球を移送させて溜める場合、下皿からの遊技球の落下位置が常に同じであるので、落下した遊技球が球箱内で偏って貯留されやすく、そのため未だ満杯ではないのにもかかわらず、球箱から遊技球がこぼれ落ちるようなことがあった。
【０００３】
従来のパチンコ遊技機として、例えば下皿の球抜口を移動可能にすると共に、球抜口の下端外側面に球ならし用の突起を設け、これによって遊技球を球箱に均等に貯留しようと工夫がなされたものが開示されている（特許文献１）。
また下皿が動くものとしては、下皿が回動することで、内部の遊技球を一気に球箱に流下させて移し替えることができるようにしたものが提供されている（特許文献２）。
【特許文献１】特開２００３−６２２７５号公報
【特許文献２】特開平９−１５５０４０号公報
【発明の開示】
【発明が解決しようとする課題】
【０００４】
上記した特許文献１の発明では、球抜口及び球ならし用の突起を移動させて、球箱内の遊技球を均等な貯留状態にしようとする場合においても、結局は遊技者が当該貯留状態を視覚的に或いは手を差し入れて触覚的に偏り状態を判断し、球抜口及び球ならし用突起の移動方向を決定する必要があった。
ところが従来のパチンコ遊技機では、一般に下皿はパチンコ遊技機の前面下方に固定的に設備されており、しかも球箱は下皿の直ぐ下方に接近した間隙で置かれるような構成となっているために、遊技者にとっては下皿で球箱が遮蔽された状態となり、このため通常の遊技姿勢のままでは球箱内の遊技球の貯留状態を視認して判断することが難しかった。また手を下皿と球箱の間に差し入れて貯留状態やその偏り具合を確認したり、またそれによってならし操作行う場合でも、下皿と球箱との間隙が狭いために、作業が容易ではなかった。
また特許文献２の発明では、遊技球を下皿から一気に球箱へ移送することができるものの、下皿を回動させない通常時においては、やはり球箱が下皿の直下に近接状態で置かれるため、球箱が遮蔽されて、遊技球の貯留量や偏り具合の視認や、手による球ならし操作が簡単、容易にはできなかった。また下皿が回動することにより、球箱の上方が開放されて、球箱内の貯留球の視認性や球ならし操作の作業性が向上するものの、回動に伴って下皿内の遊技球は落下してしまうため、下皿の貯留量を維持しつつ変位することができなかった。
【０００５】
そこで本発明は上記従来のパチンコ遊技機における問題を解消し、下皿の貯留量を維持したまま、該下皿の位置を容易に変位させることができ、上皿や下皿から球箱に移送された遊技球の貯留状態やその偏り具合を遊技者が容易に視認することが可能であると共に、上皿や下皿から球箱に遊技球を移送させる際に偏りを少なく移送させることが可能なパチンコ遊技機の提供を課題とする。また遊技球を上皿から下皿へ移送させる他に、上皿から直接的に球箱に移送させることも可能なパチンコ遊技機の提供を課題とする。
【課題を解決するための手段】
【０００６】
上記課題を達成するため、本発明のパチンコ遊技機は、遊技球を貯留する上皿と、該上皿の下方に設けられる下皿と、該下皿に設けられる球抜口と、前記上皿内に貯留された遊技球を前記下皿側へ排出する排出口とを少なくとも有するパチンコ遊技機であって、
前記下皿は、前記排出口から排出された遊技球を受け入れることができる受入位置と、該受入位置の上方にあって前記排出口から排出された遊技球を受け入れることができない非受入位置との間を変位可能に構成し、これによって下皿が受入位置若しくは非受入位置にあるときに該下皿の球抜口が臨む第１落下位置と、下皿が非受入位置にあるときに前記排出口が臨む第２落下位置とを構成するようにしたことを第１の特徴としている。
また本発明のパチンコ遊技機は、上記第１の特徴に加えて、非受入位置は、排出口の一部が下皿に遮蔽されることで排出口の開口面積が小さく制限される第１非受入位置と、排出口が下皿の下方に完全に開放されることで排出口の開口面積が制限されない第２非受入位置とを有することを第２の特徴としている。
また本発明のパチンコ遊技機は、遊技球を貯留する上皿と、該上皿の下方に設けられる下皿と、該下皿に設けられる球抜口と、前記上皿内に貯留された遊技球を前記下皿側へ排出する排出口とを少なくとも有するパチンコ遊技機であって、
前記下皿は、前記排出口の前方を開放または遮蔽する排出口開閉手段を備え、排出口を開放して遊技球を排出口から排出可能な開放位置と、該開放位置に対して上下方向にあって排出口の前方を遮蔽して遊技球を排出口から排出不能な閉塞位置とに変位可能に構成したことを第３の特徴としている。
【発明の効果】
【０００７】
上記請求項１に記載のパチンコ遊技機によれば、遊技者は上皿に溜まった遊技球を下皿に移送させようとするときは、下皿を受入位置に変位させた状態にして、上皿の遊技球を排出口から排出させる操作を行う。これによって上皿に溜まった遊技球を下皿に移送させることができる。
また遊技者は上皿に溜まった遊技球を下皿ではなく、下方に置かれた球箱に直接移送させることができる。この場合には、下皿を上方の非受入位置に変位させて退避状態とし、上皿の遊技球を排出させる操作を行う。これによって上皿に溜まった遊技球は排出口から下皿を介することなく、そのまま落下して下方に置かれる球箱に直接的に移送されることになる。
また遊技者は下皿を受入位置と該受入位置の上方にある非受入位置との間で変位させる場合に、下皿内の貯留遊技球を放出することなく、そのままの貯留状態で変位させることができる。
また遊技者は下皿に溜まった遊技球を球箱に移送させるときは、下皿が受入位置にある場合でも非受入位置にある場合においても、下皿の球抜口を開放する操作を行うことで、下皿内の遊技球を球箱に移送させることができる。
また遊技者は下皿を非受入位置となる上方に退避させると、下方に置かれる球箱との間隙が大きく開いた状態にさせることができる。よって遊技者は遊技姿勢を保ったままで上方から球箱内を見ることが可能となり、球箱内の遊技球の貯留状態や偏り状態を視認することが可能となる。また簡単に手を差し入れて球箱内の遊技球の偏りを容易に球ならし作業することができる。
更に下皿が受入位置若しくは非受入位置にあるときに下皿の球抜口を開放することで、遊技球を第１落下位置から落下させることができる。また下皿が非受入位置にあるときに上皿に貯留されている遊技球を排出口が臨む第２落下位置から落下させることができる。第１落下位置と第２落下位置とは２箇所に分散されているので、下方に置かれる球箱に対して遊技球を分散させて落下させることが可能となる。即ち、第１落下位置と第２落下位置とを選択することで、遊技球を偏りなく球箱に貯留させることが可能となる。
また前述したように、貯留状態を維持し且つ受入位置の上方に位置する非受入位置に変位可能であるため、下皿から上皿へ遊技球を補充する際の移送距離が短くなり、補充が容易となる。
また遊技者は、一定量の遊技球が貯留された下皿を、貯留状態を維持したまま変位させることで、上皿の貯留球を直接に、下皿の下方に配置した球箱等に向けての球抜き作業を行うことができる。つまり、連続して上皿の貯留球を球抜きしなければならない状態において、遊技者は下皿の貯留量が所望する量に達した時点で、下皿を即座に変位させれば、後は下皿を経由せず、また煩雑な確認作業を必要とせずに、残りの球抜き作業を行える。この点、必ず下皿を経由しないと球箱に落とせない構成の下皿の場合は、大当たりに因る賞球が、どの時点で最終的に終わるのかを判断できないため、所定の貯留量を下皿に残すには、殆どの場合、遊技者が再度球箱から下皿に戻す作業が必要となる。これに対して請求項１の発明の場合、例えば上皿、下皿共に１００個程度の遊技球を貯留可能な構成であるとすると、大当たり遊技終了後、当該大当たりに因る賞球の１割に相当する２００個程度を次の挑戦に使い、その時点で大当たりを引かなければ遊技台を移動したり、或いは遊技を止めるといった場合の目安とすることができる。また所望する景品と交換可能な遊技球の球数の目安とすることもでき、下皿を様々な用途に使うことが可能となる。即ち、下皿を様々な用途に活用する際の貯留量に関して、連続した上皿の球抜き作業を行う場合でも、一度の確認作業で済ませることが可能となるものである。
【０００８】
また請求項２に記載のパチンコ遊技機によれば、上記請求項１に記載の構成による効果に加えて、下皿を第１非受入位置に変位させることで、排出口の一部を下皿により遮蔽してその開口面積を小さくすることができ、排出口からの遊技球の所定時間当たりの排出量を制限することができる。よって排出口から落下する遊技球の所定時間当たりの落下量を制限することにより、貯留速度をゆっくりした状態にすることができる。
また下皿を第２非受入位置に変位させることで、排出口を下皿の下方に完全に開放して、排出口の開口面積を制限することなく、よって排出口からの遊技球の所定時間当たりの排出量を制限することなく、遊技球を速やかに排出口から落下、貯留してゆくことができる。
【０００９】
また請求項３に記載のパチンコ遊技機によれば、下皿を開放位置に変位配置させることで、下皿の排出口開閉手段が排出口を開放し、遊技球を排出口から排出させることができる。これによって遊技球を下皿等、下方へ移送させることができる。また下皿を閉塞位置に変位配置させることで、排出口を遮蔽状態にして遊技球の排出口からの排出を止めた状態にすることができる。従って、例えば排出口からの遊技球を下皿に受け入れる場合においても、一旦下皿を閉塞位置に変位させることで、遊技球が排出口から勢いよく飛び出すのを抑制し、その後に下皿を下の開放位置に戻すことで、排出口から下皿に勢いよく飛び込んだ遊技球が跳ねて下皿の外へ飛び出すようなことを簡単な操作で予防できる。
【発明を実施するための最良の形態】
【００１０】
先ず図１〜図３を参照して、本発明の実施形態に係るパチンコ遊技機の構成を説明する。
図１は本発明の実施形態に係るパチンコ遊技機の正面図、図２は下皿装置の斜視図、図３は下皿装置の分解斜視図である。
【００１１】
パチンコ遊技機は、遊技領域１の下方の前面に上皿パネル２が設けられ、更に上皿パネル２の下に下皿パネル３、幕板４が設けられている。
前記上皿パネル２には、遊技者に貸し出された遊技球、或いは払い出された遊技球等を貯留可能な上皿５が前方に向って張り出されて設けられている。
下皿パネル３の前面の右端部には、発射ハンドル取付ボス（図２参照）６ａが前方に向って凸設され、更にその前方に発射ハンドル６が取り付けられている。
発射ハンドル６の左側方向には、下皿１１を含む下皿装置１０が取り付けられている。
【００１２】
前記幕板４には、下皿１１に対して配置される球箱７の位置決めを行う一対の位置決め部材８、８が設けられている。
一対の位置決め部材８、８は球箱７の左右方向の長さよりも僅かに大きな間隔をおいて配置されると共に、幕板４の前面から前方に向って突出して設けられている。
【００１３】
前記下皿１１を含む下皿装置１０について更に説明する。
下皿装置１０の下皿１１は、上方に開口した略箱状に形成される。上方に開口した内部空間は、遊技球を貯留可能な貯留部１１ａとされている。貯留部１１ａの下方の底部１１ｂには、貯留した遊技球を下方に放出する球抜口１１ｃが設けられている。この球抜口１１ｃは、下皿１１の底部１１ｂの左右方向及び前後方向の中央からやや右側方に開設されており、バネ付勢されたレバー１１ｄを操作することで開閉自在とされている。遊技者は必要に応じてレバー１１ｄを操作することで、下皿１１に貯留されている遊技球を下方へ落下、放出させて、球箱７に移送させることができる。底部１１ｂは球抜口１１ｃに向けて緩やかに傾斜するようにしている。
貯留部１１ａの後方の後壁部１１ｅには遊技球の取込口１１ｆが設けられている。この取込口１１ｆは、後述する排出口１２に対応した縦並び位置に貫通して形成されている。取込口１１ｆは下皿１１の後壁部１１ｅの左右中央からやや左側方の位置に開設されている。取込口１１ｆの開口寸法は排出口１２と略同じとし、取込口１１ｆが排出口１２に重なって連通することで、排出口１２からの遊技球を下皿１１内に取り込み可能となる。
【００１４】
前記下皿パネル３には、上皿５に貯留されている遊技球を、機内を介して排出する排出口１２が開口されている。上皿５に設けられた排出操作ツマミ５ａを操作することで、上皿５内の遊技球が機内を通って排出口１２から下皿１１、若しくは後述の球箱７側へ排出される。
前記排出口１２を挟んで、下皿１１の上下方向への摺動をガイドする左右一対のガイド板１３、１３が下皿パネル３に構成されている。ガイド板１３は断面がＬ字状をなし、該ガイド板１３、１３に対して前記下皿１１の後壁部１１ｅの左縁と右縁が嵌り込む状態になされる。これによって下皿１１はガイド板１３、１３にガイドされて上下方向（垂直方向）に摺動自在とされる。
前記左右一対のガイド板１３、１３の裏面には、位置決めボス孔１３ａと取付ビス用ネジ孔１３ｂが設けられている。また下皿パネル３の対応する箇所に、位置決めボス１４ａと取付ビス用皿孔１４ｂが設けられている。ガイド板１３の位置決めボス孔１３ａが下皿パネル３の位置決めボス１４ａに嵌め合わされ、取付ビスをガイド板１３の取付ビス用ネジ孔１３ｂから下皿パネル３の取付ビス用皿孔１４ｂへねじ込むことで、ガイド板１３の下皿パネル３への固定がなされる。
【００１５】
前記下皿１１の左右中央であって底部１１ｂの裏面側に突出して形成された凸部１１ｇには、前後方向に段付き孔状に形成された位置決めピン挿通孔１１ｈが設けられている。この位置決めピン挿通孔１１ｈに対しては、位置決めピン１５、付勢バネ１６、握玉１７が取り付けられる。付勢バネ１６を位置決め挿通孔１１ｈ内に嵌め合わせ、位置決めピン１５を後方から位置決めピン挿通孔１１ｈに挿通させて、下皿１１の凸部１１ｇから突出した位置で、位置決めピン１５の先端のネジ部１５ａを握玉１７と螺着する。
一方、前記下皿パネル３に複数の位置決め孔１８が形成されている。この位置決め孔１８は、前記下皿１１の上下方向の変位位置を定めるための孔である。本実施形態では、下位置決め孔１８ａ、中位置決め孔１８ｂ、上位置決め孔１８ｃの３つの孔で構成している。
位置決め孔１８の何れかに前記位置決めピン１５が選択的に差し込まれることで、下皿１１の上下方向での位置が定まる。
【００１６】
図２を参照して、下皿装置１０が下皿パネル３に完成された状態においては、握玉１７を操作しながら下皿１１を上下方向に移動させることで、下皿１１がガイド板１３、１３によってガイドされ、上下方向の３箇所に変位させることができる。ここで本明細書において「移動」は「変位」の下位概念である。
遊技者が握玉１７を手前に引くと、位置決めピン１５が付勢バネ１６の付勢力に抗して位置決め孔１８から外れ、下皿１１の移動が可能となる。なお図示しないが、下皿１１の移動においては、下皿１１が左右のガイド板１３、１３から上下方向に逸脱してしまわないようになされている。
今、下皿１１を下方に移動させて、下位置決め孔１８ａに対応する位置で握玉１７を離すと、位置決めピン１５が下位置決め孔１８ａに嵌り込んで、その位置に安定する。同様にして、下皿１１を中位置決め孔１８ｂ、上位置決め孔１８ｃの各位置に安定して固定状態とすることができる。
そして下皿１１が下位置決め孔１８ａに位置決めされている下位置において、下皿１１の取込口１１ｆが下皿パネル３の排出口１２に重なり、排出口１２から取込口１１ｆを通って遊技球の下皿１１内への移送が可能となる。この下位置は下皿１１が遊技球を受け入れることができる位置であり、これを受入位置とする。
前記下皿１１が中位置決め孔１８ｂ及び上位置決め孔１８ｃに位置決めされている中位置、及び上位置においては、下皿１１の取込口１１ｆが下皿パネル３の排出口１２に対して重なることができず、排出口１２からの遊技球は下皿１１内に入ることはできない。この中位置及び上位置は下皿１１が遊技球を受け入れることができない位置であるので、これを非受入位置とする。
前記非受入位置は、下皿１１の取込口１１ｆが下皿パネル３の排出口１２から上方に退避した状態と言うことができる。
なお前記下皿１１が上位置にあるときは、下皿１１が排出口１２から上方に完全に外れた状態にあり、また下皿１１が中位置にあるときは、下皿１１の後壁部１１ｅの一部が排出口１２の一部（上半部）を遮蔽している状態にあるように構成している。
【００１７】
前記球箱７は、上部が開口した容器に構成されており、持ち運び自在である。この球箱７は、前記幕板４の一対の位置決め部材８、８間に位置決めされて配置される。球箱７の横寸法は下皿１１の横寸法と略同じであり、下皿１１と前記位置決めされた球箱７とは、下皿１１が下、中、上位置のどの位置にあっても、上下方向に整列することになる。
従って下皿１１がどの位置にあっても、下皿１１の底部１１ｂの右半部の中央付近に配置される球抜口１１ｃは球箱７の開口の右半部の中央付近に臨み、遊技球を球箱７に落下させることができる。
前記球箱７の横寸法は必ずしも下皿１１の寸法と同じである必要はない。また球箱７は必ずしも位置決め部材８、８によって位置決めされる必要はない。球箱７は要するに下皿１１や排出口１２から落下してくる遊技球を受け入れることができるようにその大きさと配置がなされればよい。
前記下皿１１の球抜口１１ｃが臨む位置を第１落下位置Ａとする。
【００１８】
一方、下皿１１が上位置に変位された状態では、下皿１１が前記排出口１２の上方へ完全に外れた状態となり、排出口１２から排出された遊技球は、前記位置決めされた球箱７に対して直接的に落下する。
排出口１２は、下皿１１及び位置決めされた状態の球箱７の左半部の中央付近に対応する位置に臨むように配置して構成されているので、遊技球は位置決めされた球箱７の左半部の中央付近に落下することになる。
前記排出口１２が臨む落下位置を第２落下位置Ｂとする。
また下皿１１が上位置に変位された状態では、下皿１１と位置決めされる球箱７との隙間がかなり大きく開いた状態になるので、遊技者は遊技姿勢のままで、球箱７内の貯留球の状態や偏り状態を視覚を通じて判断したり、確認したりすることができ、或いは簡単に手を入れて球の貯留状態や偏り状態を判断し、また偏りをならすことができる。
前記第１落下位置Ａは、位置決め部材８、８によって位置決めされた状態の球箱７に対して、球箱７の右半部の中央付近で、第２落下位置Ｂは位置決めされた状態の球箱７に対して、球箱７の左半部の中央付近となり、遊技球の球箱７への落下位置が２箇所に分散される。
【００１９】
更に下皿１１が中位置に変位された状態では、下皿１１は前記排出口１２の上方へ完全には外れた状態とはならず、排出口１２の上半部を遮蔽した状態となる。このため排出口１２は縮口され、排出口１２から排出される球技球の排出流量が少量に制限される。よって排出口１２からの遊技球の排出流量を少量に制限することができる。よって排出口１２から落下する遊技球の落下量を緩慢にして、貯留速度をゆっくりした状態にすることができる。
上記中位置における遊技球の落下位置を第２落下位置Ｂとする。
【００２０】
下皿１１が中位置及び上位置にある状態では、排出口１２からの遊技球は下皿１１には入らず、下皿１１は非受入位置にある。
そして非受入位置は、下皿１１が中位置にあって排出口１２の一部（上半部）を遮蔽した第１非受入位置と、下皿１１が上位置にあって排出口１２の上方に完全に退避した第２非受入位置とを有することになる。
第１非受入位置では、排出口１２の一部が下皿１１に遮蔽されることで排出口１２からの遊技球の排出流量が少量に制限される。一方、第２非受入位置では、排出口１２が下皿１１の下方に完全に開放されることで、排出口１２からの遊技球の排出流量が制限されない。
遊技球を球箱７に緩慢に落下させて貯留したい場合と速やかに落下させて貯留したい場合とで、第１非受入位置と第２非受入位置とを使い分けることができる。
【００２１】
前記下皿１１の後壁部１１ｅとそこに設けられる取込口１１ｆの機能を別の観点からみると、後壁部１１ｅと取込口１１ｆは排出口１２の前方を開放または遮蔽する機能を有することから、排出口開閉手段を構成する。
そして排出口開閉手段である後壁部１１ｅが、下皿１１の移動途中等に排出口１２を遮蔽している状態では、下皿１１は閉塞位置にある。この閉塞位置に下皿１１があるときには、排出口１２から遊技球が出るのが阻止される。
また排出口開閉手段である取込口１１ｆが排出口１２に一致する状態では、下皿１１は開放位置にある。この開放位置に下皿１１があるときには、排出口１２の前方が開放され、遊技球が下皿１１に落下して入ることが可能となる。
また排出口開閉手段である取込口１１ｆが図面上において上方に退避し、後壁部１１ｅが排出口１２から完全に外れた状態（第２非受入位置）或いは一部が遮蔽された状態（第１非受入位置）となる場合においても、下皿１１は開放位置にある。この開放位置に下皿１１があるときには、排出口１２の前方が開放され、遊技球が球箱７に落下して入ることが可能となる。
以上のように下皿１１は開放位置と閉塞位置とに変位し、具体的にはスライド移動し、その開放位置、閉塞位置での機能を果たす。
【００２２】
図４を参照して、本発明の実施形態に係るパチンコ遊技機の作用を説明する。
図４は、下皿１１が左右のガイド板１３、１３に規制されて上下移動し、下位置にある受入位置と、中位置にある第１非受入位置と、上位置にある第２非受入位置での遊技球の排出或いは放出状態を示す図である。
図４−Ａは下皿１１が受入位置に変位（移動）した状態で、遊技球を排出口１２から取込口１１ｆを介して下皿１１内に受け入れ、また遊技球を下皿１１から球抜口１１ｃを介して球箱７に移送させる状態を示す。
図４−Ｂは下皿１１が第２非受入位置に変位（移動）した状態で、遊技球を排出口１２から球箱７に落下・移送して貯留する状態を示す。
図４−Ｃは下皿１１が第１非受入位置に変位（移動）した状態で、遊技球を排出口１２から排出流量を制限しながら球箱７へ落下・移送して貯留する状態を示す。
【００２３】
図４−Ａに示すように、先ずパチンコ遊技機は棚板９の上面に配置され、また棚板９の上面に球箱７が一対の位置決め部材８、８に左右両方をガイドされつつ配置される。
下皿１１が受入位置、即ち下皿１１が下位置に移動した状態においては、下皿パネル３の排出口１２と下皿１１の取込口１１ｆとが重なる。上皿５から機内を通って排出される遊技球は、排出口１２及び取込口１１ｆを介して下皿１１の貯留部１１ａに流入し、貯留される。下皿１１に貯留された遊技球は、球抜口１１ｃがレバー１１ｄの操作により開放されると、球抜口１１ｃから球箱７の右半部の略中央である第１落下位置Ａに落下される。
前記下皿１１の受入位置は、下皿１１の排出口開閉手段（後壁部１１ｅ、取込口１１ｆ）によって排出口１２が開放された開放位置でもある。
球箱７の右半部の中央付近への遊技球の貯留が増えてくると、球抜口１１ｃを閉じ、下皿１１を図４−Ｂに示す第２非受入位置に移動させる。
【００２４】
図４−Ｂを参照して、第２非受入位置においては、下皿１１が排出口１２より更に上方に退避された状態となり、遊技球が排出口１２から何の制限もなく、直接的に球箱７に落下して移送される。この落下位置は第２落下位置Ｂで、球箱７の左半部の中央付近である。このため球箱７の右半部に遊技球が偏って貯留されている場合は、遊技球の貯留の平均化が行われる。第２非受入位置においては、排出口１２が下皿１１によって何ら遮蔽されることなく下方に完全に露出しており、遊技球は排出口１２からスムーズに落下して球箱７に速やかに貯留されてゆく。
第２非受入位置は、下皿１１の後壁部１１ｅの取込口１１ｆが排出部１２に一致することによる開放位置とは異なるが、やはり下皿１１の後壁部１１ｅが排出口１２を開放する開放位置である。
【００２５】
図４−Ｃを参照して、前記図４−Ｂに示す第２非受入位置での球箱７への遊技球の貯留がある程度増加すると、下皿１１を第１非受入位置に移動させることができる。この第１非受取位置においても、遊技球は排出口１２から直接的に球箱７に落下して移送される。この落下位置も第２落下位置Ｂであり、第２非受入位置の場合と同様である。
その一方、下皿１１が第１非受入位置にある場合には、排出口１２の上半部が下皿１１で遮蔽されるため、遊技球の排出流量が減少され、球箱７内へ遊技球の落下、移送が緩慢に行われる。このため球箱７内での遊技球の急激な増加によるオーバーフロー等を予防できる。
【００２６】
なお前記下皿１１が受入位置から非受入位置まで移動する過程において、下皿１１の後壁部１１ｅによって一時的に排出口１２が遮蔽されることになる。この位置が下皿１１による閉塞位置である。
【００２７】
図４−Ｂ、図４−Ｃに示すように、下皿１１が第１、第２非受入位置にある場合には、球箱７と下皿１１との間隙が広くなるので、遊技者は遊技姿勢を保ったままでも球箱７内の遊技球の貯留状態を視覚的に確認しやすくなり、また簡単に手を入れて触覚的に遊技球の貯留状態を確認したり、遊技球の偏りをならしたりすることができる。
また下皿１１は受入位置から第１、第２非受入位置に移動させることができ、この移動によって、排出口１２から排出される遊技球の行き先を、下皿１１から球箱７へ簡単に変更することができる。即ち、遊技者は下皿１１内の遊技球が所望する貯留量に達したことを確認すると、下皿１１を非受入位置に片手でワンタッチ的に移動させるだけで、遊技球を直接、球箱７へ排出できるため、行き先を変更するための特段の操作を必要としないばかりか、後の遊技に必要な下皿の貯留量を度々確認する必要さえ無くなり、煩雑な確認作業が不要となるものである。
図４−Ｂ、図４−Ｃの状態で、遊技球を直接球箱７に落下、移送させることで、球箱７の左半部の中央付近に遊技球が貯留されてゆく。
【００２８】
なお上記の実施形態では、下皿１１の変位の方向は真上方向、真下方向としているが、これに限らず、斜め上方向、斜め下方向としてもよい。
【図面の簡単な説明】
【００２９】
【図１】本発明の実施形態に係るパチンコ遊技機の正面図である。
【図２】下皿装置の斜視図である。
【図３】下皿装置の分解斜視図である。
【図４−Ａ】下皿が受入位置にあって、下皿の球抜口が開放されている状態を示す図である。
【図４−Ｂ】下皿が第２非受入位置にあって、下皿の球抜口が閉止されている状態を示す図である。
【図４−Ｃ】下皿が第１非受入位置にあって、下皿の球抜口が閉止されている状態を示す図である。
【符号の説明】
【００３０】
１      遊技領域
２      上皿パネル
３      下皿パネル
４      幕板
５      上皿
６      発射ハンドル
６ａ    発射ハンドル取付ボス
７      球箱
８      位置決め部材
９      棚板
１０    下皿装置
１１    下皿
１１ａ  貯留部
１１ｂ  底部
１１ｃ  球抜口
１１ｄ  レバー
１１ｅ  後壁部
１１ｆ  取込口
１１ｇ  凸部
１１ｈ  位置決めピン挿通孔
１２    排出口
１３    ガイド板
１３ａ  位置決めボス孔
１３ｂ  取付ビス用ネジ孔
１４ａ  位置決めボス
１４ｂ  取付ビス用皿孔
１５    位置決めピン
１５ａ  ネジ部
１６    付勢バネ
１７    握玉
１８    位置決め孔
１８ａ  下位置決め孔
１８ｂ  中位置決め孔
１８ｃ  上位置決め孔
Ａ      第１落下位置
Ｂ      第２落下位置
【図１】
0004660297.tif 000002
【図２】
0004660297.tif 000003
【図３】
0004660297.tif 000004
【図４−Ａ】
0004660297.tif 000005
【図４−Ｂ】
0004660297.tif 000006
【図４−Ｃ】
0004660297.tif 000007